(57)【要約】【課題】ユーザの生活パターンに合致した位置登録エリアを設定すること。【解決手段】移動通信システム１は、移動機Ｍの位置を示す位置情報と、該位置情報に対応する時刻とを受信する受信部１１と、受信された位置情報を記憶することで移動機Ｍに対応する位置情報の履歴を蓄積する履歴記憶部１２と、蓄積された位置情報の履歴に基づいて、一以上のセル又はセクタで構成される所定のエリアにおける移動機Ｍの滞留時間を算出し、該滞留時間が所定の閾値以上である場合に、該所定のエリアを、移動機Ｍに送信されるページング信号の送信範囲である位置登録エリアとする決定部１３と、を備える。【選択図】図２
2010246015.tif 000002
【特許請求の範囲】
【請求項１】
移動機の位置を示す位置情報を受信する受信手段と、
前記受信手段により受信された位置情報を記憶することで前記移動機に対応する位置情報の履歴を蓄積する履歴記憶手段と、
前記履歴記憶手段に蓄積されている位置情報の履歴に基づいて、一以上のセル又はセクタで構成される所定のエリアにおける前記移動機の滞留状況を算出し、該滞留状況に基づいて、該所定のエリアを、前記移動機に送信されるページング信号の送信範囲である位置登録エリアとする決定手段と、
を備える移動通信システム。
【請求項２】
前記位置情報には、前記移動機が該位置情報で示される位置に存在した時刻に関する情報が含まれ、
前記決定手段が、前記位置情報の履歴に基づいて、一以上のセル又はセクタで構成される所定のエリアにおける前記移動機の滞留時間を算出し、該滞留時間が所定の閾値以上である場合に該所定のエリアを前記位置登録エリアとする、
請求項１に記載の移動通信システム。
【請求項３】
前記決定手段が、所定の時間帯での前記所定のエリアにおける前記移動機の平均滞留時間を算出し、該滞留時間が所定の閾値以上である場合に該所定のエリアを前記位置登録エリアとする、
請求項２に記載の移動通信システム。
【請求項４】
前記受信手段が、前記移動機と基地局とが無線接続された時の位置を示す位置情報を受信する、
請求項１〜３のいずれか一項に記載の移動通信システム。
【請求項５】
前記位置登録エリアを示す位置登録エリア情報を記憶するエリア記憶手段と、
前記移動機において呼接続処理が実行された時とは異なる時期に、該移動機の現在位置を示す位置情報を該移動機から受信した場合に、前記決定手段により決定された位置登録エリアを示す位置登録エリア情報を前記エリア記憶手段に記憶することで該移動機に対応する位置登録エリアを更新するとともに、該位置登録エリア情報を該移動機に送信する更新手段と、
を更に備える請求項４に記載の移動通信システム。
【請求項６】
前記受信手段により受信される位置情報が、基地局がカバーするセルを識別するセル情報と、該セルを構成するセクタを識別するセクタ情報とから成るセル／セクタ情報である、
請求項１〜５のいずれか一項に記載の移動通信システム。
【請求項７】
移動通信システムにより実行される移動通信方法であって、
移動機の位置を示す位置情報を受信する受信ステップと、
前記受信ステップにおいて受信された位置情報を記憶することで前記移動機に対応する位置情報の履歴を蓄積する履歴記憶ステップと、
前記履歴記憶ステップにおいて蓄積された位置情報の履歴に基づいて、一以上のセル又はセクタで構成される所定のエリアにおける前記移動機の滞留状況を算出し、該滞留状況に基づいて、該所定のエリアを、前記移動機に送信されるページング信号の送信範囲である位置登録エリアとする決定手段と、
を含むことを特徴とする移動通信方法。
【発明の詳細な説明】
【技術分野】
【０００１】
本発明は、ページング信号の送信範囲である位置登録エリアを管理する移動通信システム及び移動通信方法に関する。
【背景技術】
【０００２】
従来の移動通信システムでは、ページング信号の送信範囲である位置登録エリアは予め定められ、全端末に対して画一的に適用されている。この場合には、例えば多くのユーザを乗せた電車が位置登録エリアの境界を跨いだ時に各ユーザの移動機から位置登録要求が送出され、移動網に負荷が掛かるという問題がある。また、家やオフィスなどの限られた範囲に留まり続けている移動機に対して、不必要に広い範囲にわたってページング信号が送信されるという問題もある。このような問題を解決するための技術として、位置登録エリアの管理を効率的に行う位置登録システムが下記特許文献１に記載されている。このシステムは、移動機の移動速度及び着信頻度とネットワーク情報とを用いてその端末の位置登録エリアを設定する。
【先行技術文献】
【特許文献】
【０００３】
【特許文献１】特開２００３−２３６５６号公報
【発明の概要】
【発明が解決しようとする課題】
【０００４】
上記特許文献１のシステムを採用すると、移動速度が速い端末ほど位置登録エリアが大きく設定されたり、着信頻度が高い端末ほど位置登録エリアが小さく設定されたりする。しかし、これだけでは、ユーザの実際の生活パターンに合致しない位置登録エリアが設定される可能性がある。
【０００５】
本発明は上記課題を解決するためになされたものであり、ユーザの生活パターンに合致した位置登録エリアを設定することが可能な移動通信システム及び移動通信方法を提供することを目的とする。
【課題を解決するための手段】
【０００６】
本発明の移動通信システムは、移動機の位置を示す位置情報を受信する受信手段と、受信手段により受信された位置情報を記憶することで移動機に対応する位置情報の履歴を蓄積する履歴記憶手段と、履歴記憶手段に蓄積されている位置情報の履歴に基づいて、一以上のセル又はセクタで構成される所定のエリアにおける移動機の滞留状況を算出し、該滞留状況に基づいて、該所定のエリアを、移動機に送信されるページング信号の送信範囲である位置登録エリアとする決定手段と、を備える。
【０００７】
また、本発明の移動通信方法は、移動通信システムにより実行される移動通信方法であって、移動機の位置を示す位置情報を受信する受信ステップと、受信ステップにおいて受信された位置情報を記憶することで移動機に対応する位置情報の履歴を蓄積する履歴記憶ステップと、履歴記憶ステップにおいて蓄積された位置情報の履歴に基づいて、一以上のセル又はセクタで構成される所定のエリアにおける移動機の滞留状況を算出し、該滞留状況に基づいて、該所定のエリアを、移動機に送信されるページング信号の送信範囲である位置登録エリアとする決定手段と、を含むことを特徴とする。
【０００８】
このような移動通信システム及び移動通信方法によれば、移動機の位置情報の履歴が蓄積され、その履歴に基づいて所定のエリアにおける移動機の滞留状況が算出される。そして、その滞留状況に基づいて上記所定のエリアを位置登録エリアとするか否かが決定される。このように、移動機の過去の滞留状況、すなわちユーザの滞在履歴に基づいて位置登録エリアを決定することで、ユーザの生活パターンに合致した位置登録エリアを設定することが可能になる。
【０００９】
本発明の移動通信システムでは、位置情報には、移動機が該位置情報で示される位置に存在した時刻に関する情報が含まれ、決定手段が、位置情報の履歴に基づいて、一以上のセル又はセクタで構成される所定のエリアにおける移動機の滞留時間を算出し、該滞留時間が所定の閾値以上である場合に該所定のエリアを位置登録エリアとすることが好ましい。
【００１０】
この場合、位置情報の履歴に基づいて所定のエリアにおける移動機の滞留時間が算出され、この滞留時間に基づいて上記所定のエリアを位置登録エリアとするか否かが決定される。これにより、ユーザが一定時間以上滞在した場所や範囲に対応して位置登録エリアが形成されるので、ユーザの生活パターンに合致した位置登録エリアを設定することが可能になる。
【００１１】
本発明の移動通信システムでは、決定手段が、所定の時間帯での所定のエリアにおける移動機の平均滞留時間を算出し、該滞留時間が所定の閾値以上である場合に該所定のエリアを位置登録エリアとすることが好ましい。
【００１２】
この場合、特定の時間帯において移動機が平均的に一定時間以上滞留していれば、その場所に対応する所定のエリアが位置登録エリアとされるので、ユーザの生活パターンに合致した位置登録エリアを設定することが可能になる。
【００１３】
本発明の移動通信システムでは、受信手段が、移動機と基地局とが無線接続された時の位置を示す位置情報を受信することが好ましい。
【００１４】
この場合、従来から用いられている接続手順の中で位置情報を取得することが可能であるので、特別な位置情報取得技術を新たに導入することなく、ユーザの生活パターンに合致した位置登録エリアを設定することが可能になる。
【００１５】
本発明の移動通信システムでは、位置登録エリアを示す位置登録エリア情報を記憶するエリア記憶手段と、移動機において呼接続処理が実行された時とは異なる時期に、該移動機の現在位置を示す位置情報を該移動機から受信した場合に、決定手段により決定された位置登録エリアを示す位置登録エリア情報をエリア記憶手段に記憶することで該移動機に対応する位置登録エリアを更新するとともに、該位置登録エリア情報を該移動機に送信する更新手段と、を更に備えることが好ましい。
【００１６】
この場合、呼接続処理とは異なる時期における位置情報の受信を契機に、移動機の位置登録エリアが更新され、更新後の位置登録エリア情報がその移動機に通知される。これにより、移動機は、呼接続時以外における位置登録処理のタイミングで最新の位置登録エリア情報を取得できるので、呼接続時に移動機に過大な負荷が掛かることを防止できる。
【００１７】
本発明の移動通信システムでは、受信手段により受信される位置情報が、基地局がカバーするセルを識別するセル情報と、該セルを構成するセクタを識別するセクタ情報とから成るセル／セクタ情報であることが好ましい。
【００１８】
この場合、基地局の通信範囲を示すセル及びセクタに関する情報に基づいて移動機の位置が特定されるので、全地球測位システム（ＧＰＳ）などの測位システムを用いることなく、位置登録エリアを決定することができる。
【発明の効果】
【００１９】
このような移動通信システム及び移動通信方法によれば、ユーザが一定時間以上滞在した場所や範囲に対応した位置登録エリアが形成されるので、ユーザの生活パターンに合致した位置登録エリアを設定することができる。
【図面の簡単な説明】
【００２０】
【図１】実施形態に係る移動通信システムの全体構成を示す図である。
【図２】図１に示す位置管理サーバの機能構成を示す図である。
【図３】図２に示す位置管理サーバのハードウェア構成を示す図である。
【図４】（ａ），（ｂ）は、図２に示す履歴記憶部が記憶する位置情報の例を示す図である。
【図５】図２に示すエリア記憶部が記憶する位置登録エリア情報の例を示す図である。
【図６】図１に示す移動通信システムが位置登録エリアを決定する際の処理を示すシーケンス図である。
【図７】図１に示す移動通信システムがページング処理を実行する際の処理を示すシーケンス図である。
【図８】本発明を適用しない場合の位置登録エリアの分布例を示す図である。
【図９】図８の例に対して本発明を適用した場合の位置登録エリアの分布例を示す図である。
【発明を実施するための形態】
【００２１】
以下、添付図面を参照しながら本発明の実施形態を詳細に説明する。なお、図面の説明において同一又は同等の要素には同一の符号を付し、重複する説明を省略する。
【００２２】
まず、図１〜５を用いて、実施形態に係る移動通信システム１の機能及び構成を説明する。
【００２３】
移動通信システム１は、移動機Ｍの呼接続やデータ通信を制御する無線ネットワークシステムである。図１に示すように、移動通信システム１は、移動機Ｍと無線接続する基地局Ｂと、移動機間の呼接続を制御する（例えば基地局Ｂを介して移動機Ｍにページング信号を送信する）交換機Ｓと、移動機Ｍに送信されるページング信号の送信範囲である位置登録エリアを設定及び記憶する位置管理サーバ１０とを備えている。なお、図１では以下の説明で必要な部分のみを描画しているが、移動通信システム１はより多くの数の交換機Ｓ、基地局Ｂ、及び移動機Ｍを含むことができ、また他の通信制御装置も含んで構成される。
【００２４】
図２に示すように、位置管理サーバ１０は機能的構成要素として受信部１１、履歴記憶部１２、決定部１３、エリア記憶部１４、更新部１５及び応答部１６を備えている。
【００２５】
この位置管理サーバ１０は、図３に示すように、オペレーティングシステムやアプリケーションプログラムなどを実行するＣＰＵ１０１と、ＲＯＭ及びＲＡＭで構成される主記憶部１０２と、ハードディスクなどで構成される補助記憶部１０３と、ネットワークカードなどで構成される通信制御部１０４と、キーボードやマウスなどの入力部１０５と、モニタなどの出力部１０６とで構成される。位置管理サーバ１０の各機能は、ＣＰＵ１０１や主記憶部１０２の上に所定のソフトウェアを読み込ませ、ＣＰＵ１０１の制御の下で通信制御部１０４を動作させ、主記憶部１０２や補助記憶部１０３におけるデータの読み出し及び書き込みを行うことで実現される。
【００２６】
図２に戻って、受信部１１は、移動機Ｍの位置を示す位置情報を受信する部分である。移動機Ｍにおいて呼接続処理（発信処理又は着信処理）が実行されると、移動機Ｍと基地局Ｂとの間で無線接続が確立され、このタイミングで基地局Ｂが移動機Ｍの位置情報を取得する。この時得られる位置情報は、基地局Ｂがカバーするセルを識別するセル情報と、そのセルを構成するセクタを識別するセクタ情報とから成るセル／セクタ情報であり、現在時刻（位置情報に対応する時刻）も含んでいる。このセル／セクタ情報により、ある時点における移動機Ｍの位置をセクタ単位で詳細に知ることができる。基地局Ｂは、移動機Ｍを識別する端末ＩＤと、上記のような位置登録処理により取得された位置情報を位置管理サーバ１０に向けて送信する。受信部１１は、基地局Ｂから送られてきたこれらの情報を受信し、履歴記憶部１２に出力する。
【００２７】
履歴記憶部１２は、受信部１１により受信された位置情報を記憶することで移動機Ｍに対応する位置情報の履歴を蓄積する部分である。端末ＩＤ及び位置情報が入力されると、履歴記憶部１２はこれらの情報を関連付けて記憶する。
【００２８】
履歴記憶部１２が記憶する位置情報の形式は限定されない。例えば、履歴記憶部１２は図４（ａ）に示すような生データの形で記憶してもよいし、図４（ｂ）に示すような統計データの形で記憶してもよい。図４（ｂ）に示す履歴は、入力された情報に基づいて、１時間毎に区切られた各時間帯において移動機Ｍがどのセクタに滞留しているかを百分率で集計し、その集計結果を記憶したものである。図４（ｂ）の位置情報から、移動機「端末Ａ」は７〜８時には専ら位置情報「セルＡセクタ４」で示される位置に滞留していることや、８〜９時には位置情報「セルＡセクタ４」で示される位置と位置情報「セルＢセクタ１」で示される位置とにそれぞれ３０分ずつ滞留しているなどがわかる。
【００２９】
決定部１３は、履歴記憶部１２に蓄積されている位置情報の履歴に基づいて、一以上のセル又はセクタで構成される所定のエリアにおける移動機Ｍの滞留時間を算出し、その滞留時間が所定の閾値以上である場合に、その所定のエリアを位置登録エリアとする部分である。
【００３０】
まず、決定部１３は、ある移動機Ｍについて、全時間帯（２４時間）における過去の平均滞留率が所定の閾値を超える１個のセクタがあれば、そのセクタをその移動機Ｍ固有の位置登録エリア（以下では「個別エリア」ともいう）として決定する。ここで、滞留率とは、一定時間内において移動機Ｍが特定の場所に位置していた時間、すなわち滞留時間の多少を示す値である。例えば、その閾値を１０％として、移動機Ｍａを所有するユーザＡの自宅をカバーするセクタにおいてその移動機Ｍａの１日の平均滞留率が５０％であったり、ユーザＡの職場をカバーするセクタにおける移動機Ｍａの１日の平均滞留率が２５％であったりした場合には、決定部１３はこれらのセクタを移動機Ｍａの個別エリアとする。
【００３１】
続いて、決定部１３は、上記手法により個別エリアとされた範囲を除くエリアにおいて更なる個別エリアを設定する。具体的には、決定部１３は、複数の連続するセル／セクタから成るエリア（セル／セクタ群）のうち、特定の時間帯（例えば１時間毎に区切られた時間帯）における過去の平均滞留率が所定の閾値を超えるエリアがあれば、そのエリアを移動機Ｍの個別エリアとして決定する。例えば、その閾値を５０％として、ユーザＡの通勤経路をカバーする複数のセル／セクタで構成されるエリアにおける８〜９時までの平均滞留率が６０％である場合には、決定部１３はそのエリアを移動機Ｍａの個別エリアとする。
【００３２】
決定部１３はこのように決めた個別エリアを示す位置登録エリア情報と端末ＩＤとを更新部１５に出力する。なお、決定部１３が上記決定処理を行うタイミングは任意に決定してよい。例えば、決定部１３は受信部１１が位置情報を受信したことを契機に処理を開始してもよいし、一定の時間が経過する度に処理を実行してもよい。
【００３３】
エリア記憶部１４は、決定部１３により決定された位置登録エリア情報を記憶する部分である。また、エリア記憶部１４は後述する更新部１５から入力された現在位置情報と端末ＩＤとを関連付けて記憶する部分でもある。
【００３４】
図５に、エリア記憶部１４が記憶する情報の例を示す。図５では、エリア記憶部１４は、移動機「端末Ａ」について、現在位置を示す位置情報として「個別エリア１ａ」を記憶するとともに、「個別エリア１ａ」及び「個別エリア２ａ」という２個の位置登録エリア情報を記憶している。ここで、個別エリア１ａは２個の「セルＡセクタ４」及び「セルＢセクタ１」という２個のセクタから構成され、個別エリア２ａは「セルＣセクタ２」という１個のセクタから構成されている。また、図５において「端末Ｃ」と関連付けられている「共通エリアＸ」のような共通エリアは、各移動機Ｍに対して画一的に適用される位置登録エリアであり、これは従来のように予め決められ、所定のデータベース（図示せず）に記憶されている。共通エリアと個別エリアとは共存し得る。
【００３５】
更新部１５は、エリア記憶部１４に記憶されている位置登録エリア情報を、決定部１３により決定された位置登録エリア情報で更新する部分である。位置登録エリア情報及び端末ＩＤが入力されると、更新部１５はまず、入力された情報とエリア記憶部１４に記憶されている位置登録エリア情報とを比較し、その端末ＩＤで識別される移動機Ｍの個別エリアに変更があったか否かを判定する。
【００３６】
個別エリアが変更されたと判定した場合には、更新部１５は入力された情報をそのまま保持しつつ、移動機Ｍの位置登録要求が基地局Ｂを経由して送られてくるまで待機する。ここで、位置登録要求とは、移動機Ｍの端末ＩＤと現在位置情報（現在位置に対応する位置登録エリアの識別子）とを含んでおり、移動機Ｍがある位置登録エリアに入圏した時や、あるいは周期的に移動機Ｍから送信される信号である。
【００３７】
保持している位置登録エリア情報に対応する移動機Ｍから位置登録要求を受信すると、更新部１５は、その移動機Ｍについて、エリア記憶部１４内の現在位置情報をその要求に含まれている現在位置情報で更新するとともに、エリア記憶部１４内の位置登録エリア情報を保持している位置登録エリア情報で更新する。続いて、更新部１５は更新後の位置登録エリア情報を含む位置登録応答を生成し、移動機Ｍに向けて送信する。
【００３８】
以上に対して、入力された位置登録エリア情報とエリア記憶部１４内の位置登録エリア情報が同じであると判定した場合には、更新部１５はその時点で処理を終了する。
【００３９】
応答部１６は、移動機Ｍにページング信号を送信しようとする交換機Ｓからの要求に応じて、その移動機Ｍの位置登録エリアに関する情報を交換機Ｓに送信する部分である。応答部１６は、交換機Ｓから受信した位置登録エリア要求に含まれる端末ＩＤに対応する位置登録エリア情報及び現在位置情報をエリア記憶部１４から読み出し、これらの情報を含む位置登録エリア応答を生成して交換機Ｓに送信する。
【００４０】
次に、図６，７を用いて、図１に示す移動通信システム１の動作を説明するとともに本実施形態に係る移動通信方法について説明する。
【００４１】
まず、図６を用いて個別エリアを決定及び更新する処理について説明する。移動機Ｍにおける呼接続処理が実行されて移動機Ｍと基地局Ｂとが無線接続されると（ステップＳ１１）、その基地局Ｂが移動機の位置するセクタを示す位置情報を取得して（ステップＳ１２）、位置管理サーバ１０に送信する（ステップＳ１３）。
【００４２】
位置管理サーバ１０では、受信部１１がその位置情報を受信し（ステップＳ１３、受信ステップ）、履歴記憶部１２がその情報を記憶する（ステップＳ１４、履歴記憶ステップ）。これにより、移動機Ｍの詳細な位置を示す位置情報の履歴が位置管理サーバ１０に蓄積される。
【００４３】
その後、所定のタイミング（例えば上記ステップＳ１４の実行直後や、一定時間毎など）で、決定部１３が履歴記憶部１２に記憶されている位置情報の履歴に基づいて個別エリアを決定する（ステップＳ１５、決定ステップ）。具体的には、決定部１３は、ある移動機Ｍについて、全時間帯における平均滞留率が一定値以上のセクタや、特定の時間帯における平均滞留率が一定値以上のエリア（セル／セクタ群）を個別エリアとする。続いて、更新部１５が決定部１３により決定された位置登録エリア情報とエリア記憶部１４に記憶されている位置登録エリア情報とを比較し、双方が異なる場合には更新部１５は移動機Ｍからの位置登録要求を待つ（ステップＳ１６）。
【００４４】
更新部１５が待機しているとして、その後移動機Ｍにおいて所定のタイミング（入圏時、周期的など）で位置登録処理が実行され（ステップＳ１７）、現在位置情報を含む位置登録要求が基地局Ｂを経由して送られてくると（ステップＳ１８）、更新部１５が保持している位置登録エリア情報をエリア記憶部１４に記憶することで移動機Ｍの個別エリアを更新する（ステップＳ１９）。続いて、更新部１５は最新の位置登録エリア情報を含む位置登録応答を移動機Ｍに向けて送信する（ステップＳ２０）。これにより、移動機Ｍは最新の位置登録エリア情報を取得できる。
【００４５】
次に、図７を用いて移動機Ｍへのページング処理について説明する。交換機Ｓが移動機Ｍを呼び出すための着信要求を受信すると（ステップＳ３１）、その交換機Ｓは移動機Ｍの端末ＩＤを含む位置登録エリア要求を位置管理サーバ１０に送信する（ステップＳ３２）。位置管理サーバ１０では、応答部１６がその要求に含まれる端末ＩＤに対応する位置登録エリア情報及び現在位置情報を読み出し（ステップＳ３３）、これらの情報を位置登録エリア応答として交換機Ｓに送信する（ステップＳ３４）。交換機Ｓは、この応答に基づいて、現在位置に対応する位置登録エリアを管理する一以上の基地局Ｂにページング信号を送信する（ステップＳ３５）。その後、ページング信号を受信した各基地局Ｂは移動機Ｍに向けてページング信号を送信し、最終的に一の基地局Ｂからの信号を移動機Ｍが受信することでページング処理が完了する（ステップＳ３６）。
【００４６】
以上説明したように、本実施形態によれば、移動機Ｍの位置情報の履歴が蓄積され、その履歴に基づいて所定のエリアにおける移動機Ｍの平均滞留率が算出される。そして、その滞留率に基づいて、所定のエリアを個別エリアとするか否かが決定される。これにより、ユーザが一定時間以上滞在した場所や範囲に対応して移動機固有の位置登録エリアが形成されるので、ユーザの生活パターンに合致した位置登録エリアを設定することが可能になる。具体的には、特定の時間帯（例えば、８〜９時や、１日（０〜２４時）など）において移動機Ｍが平均的に一定時間以上滞留していれば、その場所に対応する所定のエリアが位置登録エリアとされるので、ユーザの生活パターンに合致した位置登録エリアを設定することが可能になる。
【００４７】
全体的に位置登録エリアを広くした場合には、移動機Ｍが位置登録エリアに入圏した時に実行される位置登録要求の回数は少なくなるが、１回あたりのページング信号の量は多くなり、全体的に位置登録エリアを狭くした場合には、その逆の減少が起こる。すなわち、ページング信号の量と移動機Ｍにおける位置登録要求の回数とはトレードオフである。本実施形態のように位置登録エリアを設定することで、これら二つの処理の間のバランスをとることができる。
【００４８】
このような効果を図８，９を用いて説明する。図８に示すように、ユーザの自宅Ｈと職場Ｗとを結ぶ通勤経路Ｔがあるとし、この範囲が５個の共通エリアＣ１〜Ｃ５によりカバーされているとする。また、共通エリアＣ１が１００個のセクタで構成されているとする。ユーザが自宅Ｈに居る時に電話が掛かって来ると、共通エリアＣ１において１００個のページング信号が送信されることになる。また、位置登録エリアの入圏時に位置登録処理が実行されるとすると、ユーザが自宅Ｈから職場Ｗに移動する間に、移動機において４回の位置登録処理が実行されることになる。
【００４９】
本実施形態により、図８に示す状況は、例えば図９に示すような状況に改善されうる。図９において、個別エリアＤ１は、自宅Ｈをカバーする１個のセクタのみで構成される位置登録エリアであり、個別エリアＤ２は、通勤経路Ｔをカバーする複数のセル／セクタで構成される位置登録エリアであり、個別エリアＤ３は、職場Ｗをカバーする１個のセクタのみで構成される位置登録エリアである。このような状況下で、ユーザが自宅Ｈに居る時に電話が掛かって来ると、送信されるページング信号はわずか１個であり、図８の場合と比べてページング信号の送信量が１００分の１になる。また、ユーザが自宅Ｈから職場Ｗに移動する間に実行される位置登録処理の回数は２回に抑制される。ただし、図９の状況において、ユーザの通勤中に電話が掛かって来た場合には、図８に示す場合よりもページング信号の量が多くなる可能性がある。
【００５０】
なお、図９では３個の個別エリアＤ１〜Ｄ３を示したが、これらの個別エリアが１個の個別エリアにまとめられたり、互いに離れている個別エリアＤ１，Ｄ３が１個の個別エリアにまとめられたりする場合もあり得る。
【００５１】
また本実施形態では、呼接続処理が実行された場所、すなわち移動機Ｍのユーザが通話した可能性が高い場所を示す位置情報が蓄積されるので、ユーザの電話利用状況に即して位置登録エリアを設定することができる。
【００５２】
また本実施形態では、呼接続処理とは異なる時期（例えば位置登録エリアへの入圏時や一定時間毎）における位置情報の受信を契機に、移動機Ｍの個別エリアが更新され、更新後の位置登録エリア情報がその移動機Ｍに通知される。これにより、移動機Ｍは、呼接続時以外における位置登録処理のタイミングで最新の位置登録エリア情報を取得できるので、呼接続時に移動機Ｍに過大な負荷が掛かることを防止できる。
【００５３】
また、本実施形態では、基地局Ｂの通信範囲を示すセル及びセクタに関する情報に基づいて移動機Ｍの位置が特定されるので、全地球測位システム（ＧＰＳ）などの測位システムを用いることなく、個別エリアを決定することができる。
【００５４】
以上、本発明をその実施形態に基づいて詳細に説明した。しかし、本発明は上記実施形態に限定されるものではない。本発明は、その要旨を逸脱しない範囲で以下のような様々な変形が可能である。
【００５５】
上記実施形態ではセル／セクタ情報を位置情報として利用したが、位置情報の構成はこれに限定されず、例えば、無線電波遅延や基地局座標などから算出された緯度経度情報であってもよい。
【００５６】
上記実施形態では位置管理サーバ１０が呼接続処理（発信処理又は着信処理）時の位置情報を蓄積したが、移動機Ｍと基地局Ｂとが無線接続された時の位置情報であれば、位置情報の取得時期は限定されない。例えば、位置管理サーバ１０は、移動機においてメール送受信やコンテンツ受信といった所定のデータ送受信処理が実行されたり、位置登録処理が実行されたりした時の位置情報を蓄積してもよい。このような位置情報は従来から用いられている技術により取得されるので、新たに特別な位置情報取得技術を導入する必要はない。
【００５７】
上記実施形態では、決定部１３は全時間帯における平均滞留率と、特定の時間帯における平均滞留率とに基づいて個別エリアを決定したが、決定手段は、これらのうちどちらか一方の滞留率のみに基づいて位置登録エリアを決めてもよい。また、決定手段は、滞留率ではなく、累積滞留時間や、セル／セクタ毎の位置情報記録回数などの他の数値で示される滞留状況に基づいて位置登録エリアを決めてもよい。また、決定手段は、互いに離れて存在する複数のセクタ／セルから成る個別エリアを設定してもよい。
【００５８】
上記実施形態では更新部１５が位置登録要求の受信を契機に位置登録エリア情報を更新したが、更新手段は、この要求を待つことなく、位置登録エリアが決定された直後に更新処理を実行してもよい。
【符号の説明】
【００５９】
１…移動通信システム、１０…位置管理サーバ、１１…受信部（受信手段）、１２…履歴記憶部（履歴記憶手段）、１３…決定部（決定手段）、１４…エリア記憶部（エリア記憶手段）、１５…更新部（更新手段）、１６…応答部、Ｂ…基地局、Ｍ…移動機、Ｓ…交換機。
【図１】
2010246015.tif 000003
【図２】
2010246015.tif 000004
【図３】
2010246015.tif 000005
【図４】
2010246015.tif 000006
【図５】
2010246015.tif 000007
【図６】
2010246015.tif 000008
【図７】
2010246015.tif 000009
【図８】
2010246015.tif 000010
【図９】
2010246015.tif 000011